(57)【要約】【課題】新たな壁を構築しつつ、既に構築された壁に次工程の作業を円滑に施すことができる壁構築工法を提供することを目的とする。【解決手段】支持枠１を壁面部Ｗに取り付け、支持枠１上に足場枠ユニット２を取り付けて足場６を組み立て、壁面部Ｗの上方に新たな壁面部Ｗを構築する。さらに、この新たな壁面部Ｗに足場６の組み立てを繰り返し、足場枠ユニット２を、順次、上方へ、足場枠ユニット２の高さＨと略同一のピッチＰで上昇させてゆく。【選択図】  図５
2004150127.tif 000002
【特許請求の範囲】
【請求項１】
鉛直支持部材（１０）を壁面部（Ｗ）にアンカー（３）とボルト（４）を介して取り付け、該鉛直支持部材（１０）に水平支持部材（２０）を引掛状に取り付けて支持枠（１）を形成し、該支持枠（１）上に足場枠ユニット（２）を載置状に、かつ、鉛直状に取り付けて足場（６）を組み立て、上記壁面部（Ｗ）の上方に新たな壁面部（Ｗ）を構築し、さらに、この新たな壁面部（Ｗ）に上記足場（６）の組み立てを繰り返し、上記足場枠ユニット（２）を、順次、上方へ、該足場枠ユニット（２）の高さ（Ｈ）と略同一のピッチ（Ｐ）で上昇させてゆくことを特徴とする壁構築工法。
【請求項２】
足場枠ユニット（２）に、水平展開乃至鉛直収納状態に切り換え可能な折畳式足板（５）を予め付設しておいて、付随工事を行う請求項１記載の壁構築工法。
【発明の詳細な説明】
【０００１】
【発明の属する技術分野】
本発明は、足場にて壁を構築する壁構築工法に関する。
【０００２】
【従来の技術】
従来の壁構築工法は、足場を地面から上方へ積み上げ状に組み立てつつ、その足場の高さに合わせて、壁を上方に積み上げ状に構築していた（例えば、非特許文献１参照。）。
【０００３】
【非特許文献１】
「建築用語図解辞典」理工学社発行、１９７７年５月２５日、ｐ．３
【０００４】
【発明が解決しようとする課題】
しかしながら、従来の壁構築工法では、新たな壁を上方へ構築するために、足場をさらに上方へ組み立てていく必要があり、このときに、既に構築された下方の壁に、次工程である仕上げ塗装等の作業を行うと、足場が邪魔になり、次工程の作業を円滑に行うことができなかった。
【０００５】
そこで、本発明は、新たな壁を構築しつつ、既に構築された壁に次工程の作業を円滑に施すことができる壁構築工法を提供することを目的とする。
【０００６】
【課題を解決するための手段】
上述の目的を達成するために、本発明に係る壁構築工法は、鉛直支持部材を壁面部にアンカーとボルトを介して取り付け、該鉛直支持部材に水平支持部材を引掛状に取り付けて支持枠を形成し、該支持枠上に足場枠ユニットを載置状に、かつ、鉛直状に取り付けて足場を組み立て、上記壁面部の上方に新たな壁面部を構築し、さらに、この新たな壁面部に上記足場の組み立てを繰り返し、上記足場枠ユニットを、順次、上方へ、該足場枠ユニットの高さと略同一のピッチで上昇させてゆくものである。
【０００７】
また、足場枠ユニットに、水平展開乃至鉛直収納状態に切り換え可能な折畳式足板を予め付設しておいて、付随工事を行うようにしてもよい。
【０００８】
【発明の実施の形態】
以下、実施の形態を示す図面に基づき、本発明を詳説する。
【０００９】
図１〜図５に、本発明に係る壁構築工法の実施の一形態を示し、本発明は、例えば、ＬＮＧタンクの（ニッケル鋼又はアルミニウム合金等の）金属からなる外壁や、コンクリート壁を、地面から積み上げ状に構築する施工方法である。
【００１０】
まず、図１に示すように、地面７に、最初の壁を立設し、その壁の内部には、上下夫々に、アンカー３が取り付けられている。即ち、金属壁の場合は、取付孔を穿設し、その取付孔にアンカー３を溶接等にて付着する。また、コンクリート壁の場合は、コンクリート打設時に予めアンカー３を設置しておき、コンクリート壁にアンカー３を埋設する。
なお、図１〜図３において、壁の一方の壁面部Ｗのみを示している。
【００１１】
そして、図２に示すように、（金属製の）鉛直支持部材１０を、壁面部Ｗに、上記アンカー３と（アンカー用）ボルト４を介して、取り付ける。このとき、鉛直支持部材１０は、地面７より離間して取り付けられる。
【００１２】
その後、図３に示すように、（金属製の）水平支持部材２０を、上記鉛直支持部材１０に、引掛状に取り付けて、支持枠１を形成する。具体的に述べると、鉛直支持部材１０に形成された上方開口の受持凹部１１に、水平支持部材２０に挿通状に取着された水平状の（ボルト又はピン等の）短軸２１を、鉛直支持部材１０の上方から下方向へ、落とし込むように嵌め込み、その後、固定ボルト８及び（図示省略の）ナットにて、水平支持部材２０を鉛直支持部材１０に一体状に固定する。
このとき、支持枠１と地面７との間には、空間Ｓが生じ、足場部材の配置場所等の作業スペースに利用することができる。
【００１３】
そして、図４に示すように、支持枠１上に、足場枠ユニット２を載置状に、かつ、鉛直状に取り付けて足場６を組み立てる。即ち、足場６は、壁面部Ｗに吊持状に取着されている。このとき、壁の両方の壁面部Ｗ，Ｗに、足場６を同時に組み立てて、作業を安全にかつ能率的に行うものとする。
なお、足場枠ユニット２とは、作業者が鉛直方向・水平方向に移動して作業することができる複数階を有する鋼管等にて形成された構造物である。
【００１４】
その後、図５（イ）に示すように、足場６が取着された上記壁面部Ｗの上方に新たな壁面部Ｗを構築する。さらに、この新たな壁面部Ｗの上部に、別の支持枠１を新たに取り付け、（図示省略の）レッカーや電動ウィンチ等で、足場枠ユニット２を、ワイヤ９を介して、上方向へ吊り上げ、図５（ロ）に示すように、新たな支持枠１上に、その足場枠ユニット２を載置状に、かつ、鉛直状に取り付けて、新たな足場６を組み立て、（仮想線にて示す）さらに新たな壁面部Ｗを構築する。
なお、一方の足場枠ユニット２と、他方の足場枠ユニット２とを、同時に（又は別々に）、吊り上げる。
【００１５】
そして、上述の足場６の組み立てを繰り返し、（同一の）足場枠ユニット２を、順次、上方へ、足場枠ユニット２の高さＨと略同一のピッチＰ───より詳しくは、高さＨよりも若干小さいピッチＰ───で上昇させてゆき、壁を構築していく。
【００１６】
なお、金属壁の場合は、所定高さの壁を、溶接にて積み上げ状に連設していき、コンクリート壁の場合は、所定高さ毎に、コンクリートを打設していき、壁を構築していく。
【００１７】
このような施工方法（いわば、ステップ工法又は段送り工法）によれば、足場６と地面７との間に空間Ｓを生じさせることができ、新たな壁面部Ｗを構築しながら、既に構築された（下方の）壁面部Ｗに、次工程となる仕上げ塗装等の作業を施すときに、足場６が邪魔になることはなく、円滑に作業を行うことができる。また、次工程の作業者が別業者の場合は、足場６を共用することがないため、自己の足場６の管理が容易となる。さらに、足場６の構成部材を、少なくすることができ、搬送の負担を軽減させ、かつ、コストダウンを図ることができる。
【００１８】
また、足場枠ユニット２を、その高さＨと略同一のピッチＰで上昇させてゆくため、足場枠ユニット２を、その高さＨにおいて、有効に使用することができる。
【００１９】
さらに、支持枠１が、鉛直支持部材１０と水平支持部材２０との別体にて構成され、壁面部Ｗに取り付ける際に、鉛直支持部材１０を取り付けてから、水平支持部材２０を引掛状に取り付けるため、支持枠１の取付作業を一人で容易に行うことができる。
【００２０】
また、一揃えの長さの異なる複数の水平支持部材２０を予め製作しておき、足場枠ユニット２の幅に応じて、水平支持部材２０を選択し、鉛直支持部材１０を共用して、支持枠１を形成することができる。
【００２１】
なお、コンクリート壁を構築する場合で、図５（イ）から図５（ロ）に示すように、足場６を上昇させる際に、支持枠１と足場枠ユニット２と幕板（打設型枠）３０とを一体にかつ同時に上昇させるようにしてもよい。即ち、図５（イ）で、壁の構築に使用した（左右の）幕板３０を、一旦、支持枠１上に載置して、図５（ロ）に示すように、支持枠１・足場枠ユニット２・幕板３０を同時に吊り上げて壁面部Ｗに取り付け、その幕板３０を新たな壁を構築するのに使用する。
従って、従来、壁を構築する毎に、幕板３０を地面に降ろしていた作業を、本発明では、省略することができ、効率の良いものとなる。
【００２２】
なお、図６に示すように、足場枠ユニット２に、水平展開乃至鉛直収納状態に切り換え可能な折畳式足板５を予め付設しておいて、付随工事を行うようにしてもよい。ここで、「付随工事」とは、壁の構築に関連した工事をいい、例えば、壁部材の搬入や、壁の塗装等をいう。
【００２３】
具体的に述べると、折畳式足板５は、壁面部Ｗ側に、水平展開可能となるように、足場枠ユニット２本体の各階毎に枢結され、例えば、（実線にて示す）既に構築された壁面部Ｗに対向する折畳式足板５を、鉛直収納して、未使用状態とし、（仮想線にて示す）これから構築される壁面部Ｗに対向する折畳式足板５を、水平展開して、使用する。
【００２４】
次に、図７（イ）の側面図と図７（ロ）の正面図に、鉛直支持部材１０を示し、鉛直支持部材１０は、鉛直枠部１２と、鉛直枠部１２の左右両側でかつ上下両端に夫々付設された取付板１３と、鉛直枠部１２の前方でかつ上下に夫々突設された固定枠部１４と、を備えている。
【００２５】
取付板１３は、（図２参照の）ボルト４が挿通される切欠孔部１３ａを有し、ボルト４をアンカー３に螺合することで、取付板１３は壁面部Ｗに止着される。
固定枠部１４は、その前壁に、（図３参照の）固定ボルト８が挿通される孔部１４ａを有する。また、上方の固定枠部１４には、上方開口の受持凹部１１が形成されている。
【００２６】
次に、図８（イ）の側面図と図８（ロ）の正面図に、水平支持部材２０を示し、水平支持部材２０は、鉛直枠部２２と、鉛直枠部２２の前壁に前方へ突設された水平枠部２３と、を備えている。
【００２７】
鉛直枠部２２は、その左右側壁の上部に、（図３参照の）短軸２１が左右方向に挿通される孔部２２ａを有し、さらに、その前壁に、（図３参照の）固定ボルト８が挿通される長孔２２ｂを有する。そして、この鉛直枠部２２は、（図７参照の）固定枠部１４に、外嵌状に取り付けられる。
水平枠部２３には、（図４参照の）足場枠ユニット２が載置される。
【００２８】
【発明の効果】
本発明は上述の如く構成されるので、次に記載する効果を奏する。
【００２９】
（請求項１によれば、）足場６の下方に作業スペースのための空間Ｓを発生させることができ、新たな壁を構築しつつ、既に構築された壁に次工程の作業を円滑に施すことができる。また、足場６を容易に組み立てることができ、さらに、足場６を効率よく使用することができる。
【００３０】
（請求項２によれば、）付随工事を行うために、新たな足場を組み立てる必要がなく、選択的に折畳式足板５を使用することができ、工事の能率が一層向上する。
【図面の簡単な説明】
【図１】本発明の実施の一形態を示す第１の工程の一部断面側面図である。
【図２】第２の工程を示す一部断面側面図である。
【図３】第３の工程を示す側面図である。
【図４】第４の工程を示す全体側面図である。
【図５】第５・第６の工程を示す全体側面図である。
【図６】本発明の他の実施の形態を示す側面図である。
【図７】鉛直支持部材の構成説明図である。
【図８】水平支持部材の構成説明図である。
【符号の説明】
１  支持枠
２  足場枠ユニット
３  アンカー
４  ボルト
５  折畳式足板
６  足場
１０  鉛直支持部材
２０  水平支持部材
Ｗ  壁面部
Ｈ  高さ
Ｐ  ピッチ
【図１】
2004150127.tif 000003
【図２】
2004150127.tif 000004
【図３】
2004150127.tif 000005
【図４】
2004150127.tif 000006
【図５】
2004150127.tif 000007
【図６】
2004150127.tif 000008
【図７】
2004150127.tif 000009
【図８】
2004150127.tif 000010